(57)【要約】      （修正有）【課題】気密性の確保がしやすい引き違い窓を提供する。【解決手段】引き違い窓は、一対の障子３，３及び窓枠４を備える。障子３は、本体板部及び本体板部の周縁部を保持する保持框を有する。窓枠４は、一対の障子３，３の本体板部の板面に沿う移動方向に一対の障子３，３を移動可能に保持する。窓枠４は、一対の障子３，３の召し合わせ部に対応する位置に、凸部４８を有する。凸部４８は、召し合わせ部に向けて突出し、一方の障子３の保持框を押す。【選択図】図３
2019131983.tif 000002
【特許請求の範囲】
【請求項１】
本体板部及び前記本体板部の周縁部を保持する保持框を有する障子を一対備え、かつ、前記一対の前記障子の前記本体板部の板面に沿う移動方向に前記一対の前記障子を移動可能に保持する窓枠を備える引き違い窓であって、
前記窓枠は、前記一対の前記障子の召し合わせ部に対応する位置に、前記召し合わせ部に向けて突出し、一方の前記障子の前記保持框を押す凸部を有する
ことを特徴とする引き違い窓。
【請求項２】
本体板部及び前記本体板部の周縁部を保持する保持框を有する障子を一対備え、かつ、前記一対の前記障子の前記本体板部の板面に沿う移動方向に前記一対の前記障子を移動可能に保持する窓枠を備える引き違い窓であって、
一方の前記障子の前記保持框は、他方の前記障子との召し合わせ部に、前記他方の前記障子の前記召し合わせ部に向けて突出し、他方の前記障子の前記保持框に接触するか又は前記保持框に近接する凸部を有する
ことを特徴とする引き違い窓。
【請求項３】
本体板部及び前記本体板部の周縁部を保持する保持框を有する障子を一対備え、かつ、前記一対の前記障子の前記本体板部の板面に沿う移動方向に前記一対の前記障子をそれぞれ移動可能にガイドする一対のガイドレールを有する窓枠を備える引き違い窓であって、
前記一対の前記ガイドレールは、前記一対の前記障子の召し合わせ部に対応する位置における間隔が、前記召し合わせ部に対応しない位置における間隔よりも短くなるように設けられる
ことを特徴とする引き違い窓。
【請求項４】
本体板部及び前記本体板部の周縁部を保持する保持框を有する障子を一対備え、かつ、前記一対の前記障子の前記本体板部の板面に沿う移動方向に前記一対の前記障子を移動可能に保持する窓枠を備える引き違い窓であって、
両方の前記障子の前記保持框のうち、前記召し合わせ部に位置するそれぞれの縦框が磁性を有する部材により構成される
ことを特徴とする引き違い窓。
【請求項５】
前記障子と前記窓枠の少なくとも一方に、前記障子が前記窓枠に対して前記移動方向に沿って移動するのを規制する移動規制構造を有する
ことを特徴とする請求項１〜４のいずれか一項に記載の引き違い窓。
【請求項６】
前記障子の前記保持框のうち、前記召し合わせ部に位置する縦框が透光性を有する部材により構成されている
ことを特徴とする請求項１〜５のいずれか一項に記載の引き違い窓。
【発明の詳細な説明】
【技術分野】
【０００１】
本発明は、引き違い窓に関し、更に詳しくは、召し合わせ部において気密性を有する引き違い窓に関する。
【背景技術】
【０００２】
従来、引き違い窓が用いられている（例えば特許文献１参照）。この引き違い窓にあっては、サッシ窓の召し合わせ部に位置する框に、クレセント及びクレセント受けがそれぞれ設けられている。
【０００３】
また、上記のような引き違い窓にあっては、いわゆるクレセント及びクレセント受けにより施錠されると、両方のサッシ窓が互いに引き寄せられる。これにより、引き違い窓における気密性の確保がなされていた。
【０００４】
クレセント及びクレセント受けは、それぞれ召し合わせ部に位置する框に設けられているため、クレセント及びクレセント受けが目立って、窓越しの景観が低下しやすいものであった。そこで、召し合わせ部に位置する框に設けられなくてもよい施錠装置を設けることが考えられている。この場合、引き違い窓の施錠はなされるものの、気密性の確保がなされにくい、という問題があった。
【先行技術文献】
【特許文献】
【０００５】
【特許文献１】特開２００４−３５３２３９号公報
【発明の概要】
【発明が解決しようとする課題】
【０００６】
本開示は、クレセントによらずとも、気密性の確保がしやすい引き違い窓を提供することを目的とする。
【課題を解決するための手段】
【０００７】
本開示に係る一形態の引き違い窓は、一対の障子及び窓枠を備える。前記障子は、本体板部及び前記本体板部の周縁部を保持する保持框を有する。前記窓枠は、前記一対の前記障子の前記本体板部の板面に沿う移動方向に前記一対の前記障子を移動可能に保持する。前記窓枠は、前記一対の前記障子の召し合わせ部に対応する位置に、凸部を有する。前記凸部は、前記召し合わせ部に向けて突出し、一方の前記障子の前記保持框を押す。
【０００８】
本開示に係る他の形態の引き違い窓は、一対の障子及び窓枠を備える。前記障子は、本体板部及び前記本体板部の周縁部を保持する保持框を有する。前記窓枠は、前記一対の前記障子の前記本体板部の板面に沿う移動方向に前記一対の前記障子を移動可能に保持する。一方の前記障子の前記保持框は、他方の前記障子との召し合わせ部に、凸部を有する。前記凸部は、前記他方の前記障子の前記召し合わせ部に向けて突出し、他方の前記障子の前記保持框に接触するか又は前記保持框に近接する。
【０００９】
本開示に係る更に他の形態の引き違い窓は、一対の障子及び窓枠を備える。前記障子は、本体板部及び前記本体板部の周縁部を保持する保持框を有する。前記窓枠は、前記一対の前記障子の前記本体板部の板面に沿う移動方向に前記一対の前記障子をそれぞれ移動可能にガイドする一対のガイドレールを有する。前記一対の前記ガイドレールは、前記一対の前記障子の召し合わせ部に対応する位置における間隔が、前記召し合わせ部に対応しない位置における間隔よりも短くなるように設けられる。
【００１０】
本開示に係る更に他の形態の引き違い窓は、一対の障子及び窓枠を備える。前記障子は、本体板部及び前記本体板部の周縁部を保持する保持框を有する。前記窓枠は、前記一対の前記障子の前記本体板部の板面に沿う移動方向に前記一対の前記障子を移動可能に保持する。両方の前記障子の前記保持框のうち、前記召し合わせ部に位置するそれぞれの縦框が磁性を有する部材により構成される。
【発明の効果】
【００１１】
本開示に係る引き違い窓にあっては、気密性の確保がしやすくなる。
【図面の簡単な説明】
【００１２】
【図１】図１は、第一実施形態に係る引き違い窓の垂直断面図である。
【図２】図２は、同上の引き違い窓の水平断面図である。
【図３】図３は、同上の引き違い窓の要部斜視図である。
【図４】図４は、第二実施形態に係る引き違い窓の要部の水平断面図である。
【図５】図５は、第三実施形態に係る引き違い窓の要部の水平断面図である。
【図６】図６は、第四実施形態に係る引き違い窓の下枠の要部の平面図である。
【図７】図７は、同上の引き違い窓の要部の水平断面図である。
【図８】図８は、第五実施形態に係る引き違い窓の要部の水平断面図である。
【発明を実施するための形態】
【００１３】
以下、第一実施形態に係る引き違い窓について、図１〜図３に基いて説明する。
【００１４】
引き違い窓２は、図１、図２に示すように、一対の障子３，３及び窓枠４を備える。窓枠４は、建物の壁１に形成された開口１０の内端縁に固定される。第一実施形態においては、正面視において矩形をした開口１０が壁１に形成され、開口１０の上端縁及び下端縁は水平に形成される。ここで、正面とは、建物の壁１の外側の面をいうものとする。また、建物の外側から正面を向く状態での右方及び左方をそれぞれ右方及び左方とする。
【００１５】
窓枠４は、正面視において矩形の環状をしたいわゆるサッシ枠であり、アルミニウムにより形成される。窓枠４は、障子３よりも建物の内方側に位置する内片４１と、障子３よりも建物の外方側に位置する外片４２と、内片４１と外片４２とを連結する連結片４３と、を有する。
【００１６】
窓枠４は、建物の壁１の開口１０の内端縁に沿って、釘１１等により固定されるが、固定方法は限定されない。窓枠４としては、従来利用されている様々なものが適宜利用可能であり、特に限定されない。便宜上、図１に示すように、窓枠４の上辺及び下辺に沿う部分をそれぞれ上枠４４及び下枠４５とし、図２に示すように、左右の辺に沿う部分を縦枠４６とする。
【００１７】
障子３は、図１、図２に示すように、本体板部３１及び保持框３２を有する。本体板部３１は、正面視において矩形のガラス板からなる。本体板部３１は、建物の壁１の開口１０の上下長さよりも若干短い上下長さを有し、建物の壁１の開口１０の左右長さの半分よりも若干短い左右長さを有する。
【００１８】
保持框３２は、本体板部３１の周縁部を保持する。保持框３２は、正面視において矩形の環状をしており、アルミニウムにより形成される。保持框３２は、長手方向と直交する断面における形状が例えばＣ字状をしており、本体板部３１の周縁部において、本体板部３１の板面の両側を挟んで保持する。便宜上、図１に示すように、保持框３２の上辺及び下辺に沿う部分をそれぞれ上框３３及び下框３４とし、図２に示すように、左右の辺に沿う部分を縦框３５とする。
【００１９】
第一実施形態においては、図１、図２に示すように、障子３は、上述したガラス板からなる本体板部３１及び保持框３２を有するガラス障子である。窓枠４は、一対の障子３，３の本体板部３１の板面に沿う移動方向２０（図２中の矢印参照）に移動可能となるように、一対の障子３，３を保持する。一対の障子３，３としては、同一の障子３が二つ用いられる。一対の障子３，３は、それぞれ、互いに建物の壁１を挟んだ内外方向にずれた位置において、窓枠４の長手方向（すなわち左右方向）に沿って移動可能である。便宜上、建物の外方側に位置する障子３を外障子３０１とし、建物の内方側に位置する障子３を内障子３０２とする。
【００２０】
窓枠４は、図１に示すように、一対の障子３，３をそれぞれ移動可能にガイドする一対のガイドレール４７を有する。第一実施形態においては、ガイドレール４７として、上枠４４の下面に、左右方向を長手方向として下方に突出する一つの突条からなる上ガイドレール４７１が形成される。上ガイドレール４７１は、建物の外方側と内方側に一つずつ、計二つの上ガイドレール４７１が形成される。建物の外方側に位置する上ガイドレール４７１が、外障子３０１をガイドする外上ガイドレール４７２である。建物の内方側に位置する上ガイドレール４７１が、内障子３０２をガイドする内上ガイドレール４７３である。
【００２１】
図１、図２に示すように、同様に、ガイドレール４７として、下枠４５の上面に、左右方向を長手方向として上方に突出する一つの突条からなる下ガイドレール４７４が形成される。建物の外方側に位置する下ガイドレール４７４が、外障子３０１をガイドする外下ガイドレール４７５である。建物の内方側に位置する下ガイドレール４７４が、内障子３０２をガイドする内下ガイドレール４７６である。
【００２２】
障子３は、図１に示すように、ガイドレール４７にガイドされる被ガイド部３６を有する。第一実施形態においては、被ガイド部３６として、上框３３の上端部に、左右方向を長手方向として下方に凹没する一つの凹溝からなる上被ガイド部３６１が形成される。また、被ガイド部３６として、下框３４の下端部に、左右方向を長手方向として上方に凹没する一つの凹溝からなる下被ガイド部３６２が形成される。
【００２３】
障子３の上被ガイド部３６１に窓枠４の上ガイドレール４７１が挿入され、かつ、障子３の下被ガイド部３６２に窓枠４の下ガイドレール４７４が挿入される。これにより、障子３が、左右方向に移動可能にガイドされた状態で、窓枠４に保持される。図２に示すように、窓枠４に保持された一対の障子３，３は、窓枠４に囲まれた内部に位置する開口（窓枠開口４０とする）内で左右に分かれて、窓枠開口４０を閉塞する。このとき、一対の障子３，３は、窓枠開口４０の左右方向の中央部において、建物の内外方向に重なり、重なった部分が召し合わせ部３７を構成する。具体的には、それぞれの障子３，３の縦框３５の一方同士が、建物の内外方向に重なって、召し合わせ部３７を構成している。
【００２４】
引き違い窓２は、障子３が窓枠４に対して移動方向２０に沿って移動するのを規制する移動規制構造２１を有する。移動規制構造２１は、障子３と窓枠４の少なくとも一方に設けられる。移動規制構造２１として、いわゆるクレセント２２が用いられる。
【００２５】
移動規制構造２１としてクレセント２２が用いられる場合、通常は、一方の障子３の召し合わせ部３７に位置する縦框３５１にクレセント２２が設けられ、他方の障子３の召し合わせ部３７に位置する縦框３５１にクレセント受け２３が設けられる。第一実施形態においては、それぞれの障子３，３の召し合わせ部３７に位置する側と反対側（戸当たり側）の縦框３５２に、クレセント２２とクレセント受け２３の一方が設けられる。窓枠４における、クレセント２２とクレセント受け２３の一方に対応する縦枠４６に、クレセント２２とクレセント受け２３の他方が設けられる。移動規制構造２１により、一対の障子３，３が窓枠開口４０を閉塞した状態で、一対の障子３，３を施錠することができる。
【００２６】
また、クレセント２２がクレセント受け２３に受けられると、一方の障子３の召し合わせ部３７に位置する縦框３５１と、他方の障子３の召し合わせ部３７に位置する縦框３５１とが互いに引き寄せられる。これにより、一方の障子３と他方の障子３との間に隙間が形成されないか又は隙間が形成されにくくなる。すなわち、クレセント２２及びクレセント受け２３は、一方の障子３と他方の障子３との間に形成される隙間をなくすかあるいは隙間を小さくする、隙間軽減構造としても機能する。
【００２７】
召し合わせ部３７において、一方の障子３と他方の障子３との間に隙間が形成されると、気密性の確保がなされにくい。すなわち、一対の障子３，３が窓枠開口４０を閉塞した状態で、一方の障子３の召し合わせ部３７に位置する縦框３５１と、他方の障子３の召し合わせ部３７に位置する縦框３５１との間に隙間が形成されると、この隙間を介して建物の内外を空気が通流する。特に、第一実施形態においては、クレセント２２及びクレセント受け２３が召し合わせ部３７に設けられておらず、クレセント２２及びクレセント受け２３が隙間軽減構造として機能しない。このため、一対の障子３，３が窓枠開口４０を閉塞した状態で、一方の障子３の召し合わせ部３７に位置する縦框３５１と、他方の障子３の召し合わせ部３７に位置する縦框３５１とが、互いに引き寄せられず、隙間が形成されやすい。
【００２８】
第一実施形態においては、図３に示すように、窓枠４は、一対の障子３，３の召し合わせ部３７に対応する位置に、凸部４８を有する。凸部４８は、召し合わせ部３７に向けて突出し、一方の障子３の保持框３２を押す。具体的には、下枠４５の外片４２の建物の内方側の面に、建物の内方側に向けて突出する凸部４８が形成されている。凸部４８は、正面視において矩形状をしている。外片４２の一部が切り起こされて、外片４２の凸部４８となる部分以外の部分よりも建物の内方側に向けて突出する凸部４８が形成される。
【００２９】
外障子３０１の召し合わせ部３７に位置する縦框３５１の建物の外方側の面は、外障子３０１の下框３４の建物の外方側の面よりも、建物の外方側に位置している。
【００３０】
外障子３０１が窓枠開口４０を閉塞する位置にないとき、すなわち、外障子３０１の召し合わせ部３７に位置する縦框３５１が窓枠開口４０の中央部に位置しないときには、凸部４８は、外障子３０１の下框３４に対向するが接触はしない。
【００３１】
外障子３０１が窓枠開口４０を閉塞する位置にあるとき、すなわち、外障子３０１の召し合わせ部３７に位置する縦框３５１が窓枠開口４０の中央部に位置するときには、凸部４８は、外障子３０１の召し合わせ部３７に位置する縦框３５１に対向して接触し、この縦框３５を建物の内方側に押す。この縦框３５が押されると、ガイドレール４７と被ガイド部３６の遊びの範囲内で外障子３０１が建物の内方側に移動し、この縦框３５が、窓枠開口４０を閉塞する位置にある内障子３０２の召し合わせ部３７に位置する縦框３５１と接触するか又は縦框３５に近接する。これにより、外障子３０１の召し合わせ部３７に位置する縦框３５１と、内障子３０２の召し合わせ部３７に位置する縦框３５１との間に隙間が形成されにくくなる。この結果、外障子３０１と内障子３０２との間の隙間を介して建物の内外にかけて空気が通流しにくくなり、建物における気密性の確保がしやすくなる。
【００３２】
凸部４８は、弾性を有している。すなわち、建物の内方側に向けて突出する凸部４８は、建物の外方側に向けて押されると、突出長さが短くなる。一対の障子３，３が窓枠開口４０を閉塞する状態における、凸部４８が内障子３０２の縦框３５を押す押し代を長めにとると、凸部４８が、外障子３０１の召し合わせ部３７に位置する縦框３５１を建物の内方側に確実に押すことが可能となる。
【００３３】
また、凸部４８が設けられるのは、下枠４５の外片４２の建物の内方側の面に限定されない。すなわち、凸部４８は、上枠４４の外片４２の建物の内方側の面に、建物の内方側に向けて突出するように形成されてもよい。
【００３４】
また、凸部４８は、下枠４５の内片４１の建物の外方側の面に、建物の外方側に向けて突出するように形成されてもよい。また、凸部４８は、上枠４４の内片４１の建物の外方側の面に、建物の外方側に向けて突出するように形成されてもよい。これらの場合、内障子３０２が窓枠開口４０を閉塞する位置にあるとき、凸部４８は、内障子３０２の召し合わせ部３７に位置する縦框３５１に対向して接触し、この縦框３５１を建物の外方側に押す。
【００３５】
上記のように凸部４８は、下枠４５の外片４２の建物の内方側の面、上枠４４の外片４２の建物の内方側の面、下枠４５の内片４１の建物の外方側の面及び上枠４４の内片４１の建物の外方側の面のうちの一面又は任意の組み合わせの二以上の面に、適宜設けられる。
【００３６】
また、凸部４８は、ガイドレール４７に設けられて、建物の内方側又は外方側に向けて突出し、被ガイド部３６の内側面に接触するように形成されてもよい。
【００３７】
更に、第一実施形態においては、両方の障子３，３における召し合わせ部３７に位置する縦框３５１，３５１がそれぞれ、透光性を有する部材により構成されている。透光性を有する縦框３５１は、無色透明が好ましいが、透明であれば色が付されてもよい。
【００３８】
両方の障子３，３における保持框３２，３２のうち、召し合わせ部３７に位置する縦框３５１，３５１以外の保持框３２，３２は、透光性を有しない部材により構成されている。
【００３９】
透光性を有する部材としては、例えば旭硝子株式会社、クアーズテック株式会社等で製造されるいわゆる透明セラミック、透明な樹脂等が用いられるが、特に限定されない。
【００４０】
召し合わせ部３７に位置する縦框３５１，３５１がそれぞれ透光性を有する部材により構成されることにより、両方の障子３，３の保持框３２，３２全体で一つの環状をした枠に見える。これにより、窓枠開口４０を通した見通しが向上し、見栄えがよい。
【００４１】
次に、第二実施形態に係る引き違い窓２について、図４に基いて説明する。なお、第二実施形態に係る引き違い窓２は、第一実施形態に係る引き違い窓２と大部分において同じである。このため、第一実施形態と重複する説明については、説明を省略する。
【００４２】
第一実施形態においては、凸部４８は、窓枠４に設けられていた。これに対して、第二実施形態においては、凸部３８は、両方の障子３に設けられる。
【００４３】
一方の障子３の保持框３２は、他方の障子３との召し合わせ部３７に、凸部３８を有する。凸部３８は、他方の障子３の召し合わせ部３７に向けて突出し、他方の障子３の保持框３２に接触する。凸部３８は、突出片３８１と、重なり片３８２と、を有する鉤状をしている。突出片３８１は、外障子３０１の召し合わせ部３７に位置する縦框３５１の建物の内方側の面から、建物の内方側に突出する。重なり片３８２は、突出片３８１の先端から、戸当たり側に向けて突出する。突出片３８１及び重なり片３８２は、縦框３５１の上下全長にわたって形成される。突出片３８１及び重なり片３８２は、縦框３５１と同じ材質により形成されるが、縦框３５１と異なる材質により形成されてもよい。
【００４４】
一対の障子３，３が窓枠開口４０を閉塞する位置にないときには、各障子３，３に形成される凸部３８は、左右方向にずれた位置にあり、対向しない。
【００４５】
一対の障子３，３が窓枠開口４０を閉塞する位置にあるときには、互いに、一方の障子３の重なり片３８２が、他方の障子３の重なり片３８２と縦框３５１との間に挿入され、他方の障子３の重なり片３８２と建物の内外方向に重なる。この状態で、一方の障子３の重なり片３８２が、他方の障子３の重なり片３８２と接触する。これにより、外障子３０１の召し合わせ部３７に位置する縦框３５１と、内障子３０２の召し合わせ部３７に位置する縦框３５１との間に隙間が形成されにくくなる。この結果、外障子３０１と内障子３０２との間の隙間を介して建物の内外にかけて空気が通流しにくくなり、建物における気密性の確保がしやすくなる。
【００４６】
なお、凸部３８が、他方の障子３の召し合わせ部３７に向けて突出し、他方の障子３の保持框３２に接触せずに、他方の障子３の保持框３２に近接するだけでもよい。この場合の互いの保持框３２，３２間の距離は、１ｍｍ、２ｍｍ、３ｍｍ、４ｍｍ、５ｍｍ等、１ｍｍ〜３ｍｍ又は１ｍｍ〜５ｍｍの範囲で適宜決められる。
【００４７】
次に、第三実施形態に係る引き違い窓２について、図５に基いて説明する。なお、第三実施形態に係る引き違い窓２は、第二実施形態に係る引き違い窓２と大部分において同じである。このため、第二実施形態と重複する説明については、説明を省略する。
【００４８】
第三実施形態においても、凸部３８が、一方の障子３の保持框３２から、他方の障子３の召し合わせ部３７に向けて突出し、他方の障子３の保持框３２に接触するか又は保持框３２に近接する点については、第二実施形態と同じである。第二実施形態においては、凸部３８は、突出片３８１と、重なり片３８２と、を有する鉤状をしているのに対し、第三実施形態においては、凸部３８は、第二実施形態における凸部３８とは異なる形状をしている。
【００４９】
凸部３８の突出長さ３８３は、戸当たり側へいく程、短くなる。凸部３８の突出端面３８４は、平面状をしており、その法線方向は、本体板部３１の法線方向よりも、戸当たり側に傾いている。凸部３８は、縦框３５１の上下全長にわたって形成される。凸部３８は、縦框３５１と同じ材質により形成されるが、縦框３５１と異なる材質により形成されてもよい。
【００５０】
一対の障子３，３が窓枠開口４０を閉塞する位置にないときには、各障子３，３に形成される凸部３８は、左右方向にずれた位置にあり、対向しない。
【００５１】
一対の障子３，３が窓枠開口４０を閉塞する位置にあるときには、互いに、一方の障子３の凸部３８が、他方の障子３の凸部３８と建物の内外方向に重なる。この状態で、一方の障子３の凸部３８の突出端面３８４が、他方の障子３の凸部３８の突出端面３８４と接触する。これにより、外障子３０１の召し合わせ部３７に位置する縦框３５１と、内障子３０２の召し合わせ部３７に位置する縦框３５１との間に隙間が形成されにくくなる。この結果、外障子３０１と内障子３０２との間の隙間を介して建物の内外にかけて空気が通流しにくくなり、建物における気密性の確保がしやすくなる。
【００５２】
なお、凸部３８が、他方の障子３の召し合わせ部３７に向けて突出し、他方の障子３の保持框３２に接触せずに、他方の障子３の保持框３２に近接するだけでもよい。この場合の互いの保持框３２，３２間の距離は、１ｍｍ、２ｍｍ、３ｍｍ、４ｍｍ、５ｍｍ等、１ｍｍ〜３ｍｍ又は１ｍｍ〜５ｍｍの範囲で適宜決められる。
【００５３】
次に、第四実施形態に係る引き違い窓２について、図６及び図７に基いて説明する。なお、第四実施形態に係る引き違い窓２は、第一実施形態に係る引き違い窓２と大部分において同じである。このため、第一実施形態と重複する説明については、説明を省略する。
【００５４】
第一実施形態においては、窓枠４に凸部４８が設けられていた。これに対して、第四実施形態においては、窓枠４が有する一対のガイドレール４７に特徴がある。
【００５５】
一対のガイドレール４７、すなわち、外障子３０１用のガイドレール４７と、内障子３０２用のガイドレール４７の間隔は、第一実施形態においては、左右方向の位置にかかわらず一定である。更に説明を加えると、第一実施形態においては、外上ガイドレール４７２と内上ガイドレール４７３との間隔は、左右方向の位置にかかわらず一定である。また、外下ガイドレール４７５と内下ガイドレール４７６との間隔も、左右方向の位置にかかわらず一定である。
【００５６】
これに対して、第四実施形態においては、外障子３０１用のガイドレール４７と、内障子３０２用のガイドレール４７の間隔については、召し合わせ部３７に対応する位置における間隔４７７が、召し合わせ部３７に対応しない位置における間隔４７８よりも短くなるように設けられる。更に説明を加えると、図６に示すように、外下ガイドレール４７５と内下ガイドレール４７６との間隔については、召し合わせ部３７に対応する位置における間隔が、召し合わせ部３７に対応しない位置における間隔よりも短い。また、図示しないが、外上ガイドレール４７２と内上ガイドレール４７３との間隔についても、召し合わせ部３７に対応する位置における間隔が、召し合わせ部３７に対応しない位置における間隔よりも短い。
【００５７】
第四実施形態においては、外下ガイドレール４７５及び外上ガイドレール４７２は直線状に形成され、内下ガイドレール４７６及び内上ガイドレール４７３は湾曲線状に形成されている。
【００５８】
なお、外下ガイドレール４７５及び外上ガイドレール４７２が湾曲線状に形成され、内下ガイドレール４７６及び内上ガイドレール４７３が直線状に形成されてもよい。また、外下ガイドレール４７５及び外上ガイドレール４７２、内下ガイドレール４７６及び内上ガイドレール４７３のいずれもが湾曲線状に形成されてもよい。
【００５９】
一対の障子３，３が窓枠開口４０を閉塞する位置にないときには、各障子３，３の召し合わせ部３７に位置する縦框３５１，３５１は、左右方向にずれた位置にあって対向しない。また、各障子３，３の縦框３５，３５は、外障子３０１用のガイドレール４７と、内障子３０２用のガイドレール４７の間隔４７８が長く、互いに接触するおそれもない。
【００６０】
一対の障子３，３が窓枠開口４０を閉塞する位置にあるときには、各障子３，３の召し合わせ部３７に位置する縦框３５１，３５１は、左右方向に重なる。この状態において、縦框３５１，３５１は、外障子３０１用のガイドレール４７と内障子３０２用のガイドレール４７が短い間隔４７７となる部分に位置する。このため、それぞれの縦框３５１，３５１は、互いに接触し、縦框３５１，３５１の間に隙間が形成されにくくなる。この結果、外障子３０１と内障子３０２との間の隙間を介して建物の内外にかけて空気が通流しにくくなり、建物における気密性の確保がしやすくなる。
【００６１】
また、それぞれの縦框３５１，３５１の接触する部分に、樹脂部材３５３が設けられており、それぞれの縦框３５１，３５１が直接接触するのが抑制される。樹脂部材３５３の材質としては、ポリテトラフルオロエチレン（Poly Tetra Fluoro Ethylene）が好適に用いられるが、特に限定されない。なお、このような樹脂部材３５３は特に設けられなくてもよい。
【００６２】
なお、一対の障子３，３が窓枠開口４０を閉塞する位置にあるときに、それぞれの縦框３５１，３５１が、互いに接触せずに、近接するだけでもよい。この場合の互いの縦框３５１，３５１間の距離は、１ｍｍ、２ｍｍ、３ｍｍ、４ｍｍ、５ｍｍ等、１ｍｍ〜３ｍｍ又は１ｍｍ〜５ｍｍの範囲で適宜決められる。
【００６３】
次に、第五実施形態に係る引き違い窓２について、図８に基いて説明する。なお、第五実施形態に係る引き違い窓２は、第三実施形態に係る引き違い窓２と大部分において同じである。このため、第三実施形態と重複する説明については、説明を省略する。
【００６４】
第三実施形態においては、保持框３２に凸部３８が設けられていた。これに対して、第五実施形態においては、保持框３２に凸部３８が設けられず、代わりに、縦框３５１が磁性を有する点で、第三実施形態と異なる。
【００６５】
両方の障子３，３の保持框３２のうち、召し合わせ部３７に位置するそれぞれの縦框３５１が、磁性を有する部材により構成される。この磁性を有する縦框３５１，３５１により、一方の障子３と他方の障子３との間に形成される隙間をなくすかあるいは隙間を小さくする、隙間軽減構造が構成される。更に第五実施形態においては、それぞれの縦框３５１は、磁性のみならず、透光性及び磁性を有する部材３９により形成されているが、透光性については任意であり、少なくとも磁性を有すればよい。
【００６６】
透光性及び磁性を有する部材３９としては、例えば「ナノグラニュラー材料」と呼ばれる、ナノメートルサイズの磁性金属粒子を誘電相中に分散させた金属と絶縁体（誘電体）の２相からなる薄膜材料が用いられるが、特に限定されない。
【００６７】
外障子３０１の縦框３５１は、全体が第一の透光性及び磁性を有する部材３９１により形成されている。内障子３０２の縦框３５１のうち、外障子３０１の縦框３５１に面する部分に、第二の透光性及び磁性を有する部材３９２が設けられる。
【００６８】
第一の透光性及び磁性を有する部材３９１は、第二の透光性及び磁性を有する部材３９２に対向する部分がＮ極とＳ極の一方に磁化される。第二の透光性及び磁性を有する部材３９２は、第一の透光性及び磁性を有する部材３９１に対向する部分がＮ極とＳ極の他方に磁化される。
【００６９】
一対の障子３，３が窓枠開口４０を閉塞する位置にないときには、各障子３，３の召し合わせ部３７に位置する縦框３５１，３５１は、左右方向にずれた位置にあって対向しない。
【００７０】
一対の障子３，３が窓枠開口４０を閉塞する位置にあるときには、各障子３，３の召し合わせ部３７に位置する縦框３５１，３５１は、左右方向に重なる。この状態において、一方の縦框３５１に設けられた第一の透光性及び磁性を有する部材３９１と、他方の縦框３５１に設けられた第二の透光性及び磁性を有する部材３９２とが互いに引き寄せ合う。このため、それぞれの縦框３５１，３５１は、互いに接触し、縦框３５１，３５１の間に隙間が形成されにくくなる。この結果、外障子３０１と内障子３０２との間の隙間を介して建物の内外にかけて空気が通流しにくくなり、建物における気密性の確保がしやすくなる。
【００７１】
なお、一対の障子３，３が窓枠開口４０を閉塞する位置にあるときに、それぞれの縦框３５１，３５１が互いに引き寄せ合うものの接触せずに、近接するだけでもよい。この場合の互いの縦框３５１，３５１間の距離は、１ｍｍ、２ｍｍ、３ｍｍ、４ｍｍ、５ｍｍ等、１ｍｍ〜３ｍｍ又は１ｍｍ〜５ｍｍの範囲で適宜決められる。  
【００７２】
次に、第一実施形態〜第五実施形態の変形例について説明する。
【００７３】
開口１０及び窓枠４の正面視における形状は、上述した実施形態においては矩形に形成されるが、特に矩形に限定されない。また、矩形をした開口１０及び窓枠４の正面視における上端縁及び下端縁は、上述した実施形態においては水平に形成されるが、特に水平でなくてもよい。開口１０及び窓枠４の正面視における大きさは、特に限定されない。
【００７４】
窓枠４は、上述した実施形態においては正面視において環状に形成されているが、環状でなく一部に不連続となる部分が存在してもよい。また、窓枠４は、環状に一体に形成されてもよいし、別体に形成された複数の部材が組み合わされてもよい。
【００７５】
窓枠４は、上述した実施形態においては、アルミニウムにより形成されるが、材質は、アルミニウム以外の金属、樹脂又は木質材等、特に限定されない。
【００７６】
本体板部３１は、上述した実施形態においてはガラス板からなるが、本体板部３１の材質は、樹脂、金属又は木質材等、特に限定されない。本体板部３１は、透明でなくてもよい。
【００７７】
保持框３２の正面視における形状は、上述した実施形態においては矩形に形成されるが、特に矩形に限定されず、建物の壁１に形成される開口１０に応じた形状に形成されればよい。また、保持框３２の長手方向と直交する断面における形状は、Ｃ字状でなくてもよく、本体板部３１の周縁部において、本体板部３１の板面の両側を挟んで保持可能であればよい。保持框３２は、上述した実施形態においては正面視において環状に形成されているが、環状でなく一部に不連続となる部分が存在してもよい。また、保持框３２は、環状に一体に形成されてもよいし、別体に形成された複数の部材が組み合わされてもよい。
【００７８】
保持框３２は、上述した実施形態においては、アルミニウムにより形成されるが、保持框３２の材質は、アルミニウム以外の金属、樹脂又は木質材等、特に限定されない。
【００７９】
上述した実施形態においては、一対の障子３，３は同一の障子であったが、一対の障子３，３が必ずしも同一の障子でなくてもよい。
【００８０】
ガイドレール４７は、第一実施形態においては、一つの障子３につき一つの突条からなるが、特にこのような形態に限定されない。例えば、ガイドレール４７が、障子３を建物の内方側及び外方側から挟む二つの突条により構成されてもよい。この場合、障子３の被ガイド部３６としては、特別な構成を要しない。
【００８１】
移動規制構造２１としてのクレセント２２及びクレセント受け２３が設けられる場所は、特に限定されない。通常の場合のように、一方の障子３にクレセント２２が設けられ、他方の障子３にクレセント受け２３が設けられてもよい。また、移動規制構造２１として、クレセント２２以外に、例えば電気錠が用いられてもよく、移動規制構造２１は特に限定されない。また、移動規制構造２１は、任意の構成であり、設けられなくてもよい。
【００８２】
第一実施形態〜第四実施形態において、一方の障子３の縦框３５１に、透光性を有する部材により構成されるクレセント２２が設けられ、他方の障子３の縦框３５１に、透光性を有する部材により構成されるクレセント受け２３が設けられてもよい。透光性を有する部材としては、いわゆる透明セラミック、透明な樹脂等が用いられるが、特に限定されない。この場合、透光性を有するクレセント２２及びクレセント受け２３が、一方の障子３と他方の障子３との間に形成される隙間をなくすかあるいは隙間を小さくする隙間軽減構造を構成する。
【００８３】
窓枠４に設けられる凸部４８の正面視における形状、大きさは、特に限定されない。第一実施形態においては、凸部４８は外片４２の一部が切り起こされて形成されていたが、外片４２とは別体の凸部４８が外片４２に固定されてもよく、また、凸部４８の材質も限定されない。
【００８４】
第一実施形態において、凸部４８は弾性を有していたが、凸部４８が弾性を有しなくてもよい。
【００８５】
上述した実施形態においては、両方の障子３，３における召し合わせ部３７，３７に位置する縦框３５１，３５１がそれぞれ、透光性を有する部材により構成されていた。また、縦框３５１，３５１のみならず、保持框３２，３２全体が透光性を有する部材により構成されてもよい。また、保持框３２，３２全体が透光性を有しない部材により構成されてもよい。
【００８６】
第五実施形態において、外障子３０１の縦框３５１は、全体が第一の透光性及び磁性を有する部材３９１により形成されていたが、一部に透光性及び磁性を有する部材３９が設けられてもよい。また、内障子３０２の縦框３５１は、全体が透光性及び磁性を有する部材３９により形成されてもよい。
【００８７】
以上、述べた第一実施形態〜第五実施形態及びその変形例から明らかなように、第１の態様の引き違い窓２は、一対の障子３，３及び窓枠４を備える。障子３は、本体板部３１及び本体板部３１の周縁部を保持する保持框３２を有する。窓枠４は、一対の障子３，３の本体板部３１の板面に沿う移動方向２０に一対の障子３，３を移動可能に保持する。窓枠４は、一対の障子３，３の召し合わせ部３７に対応する位置に、凸部４８を有する。凸部４８は、召し合わせ部３７に向けて突出し、一方の障子３の保持框３２を押す。
【００８８】
第１の態様によれば、一方の障子３が窓枠開口４０を閉塞する位置にあるとき、凸部４８は、一方の障子３の召し合わせ部３７に位置する縦框３５１に対向して接触し、この縦框３５１を押す。この縦框３５１が押されると、一方の障子３が移動し、この縦框３５１が、他方の障子３の召し合わせ部３７に位置する縦框３５１と接触するか又は縦框３５１に近接する。この結果、一対の障子３，３のそれぞれの縦框３５１，３５１間に隙間が形成されにくくなり、建物における気密性の確保がしやすくなる。
【００８９】
第２の態様の引き違い窓２は、一対の障子３，３及び窓枠４を備える。障子３は、本体板部３１及び本体板部３１の周縁部を保持する保持框３２を有する。窓枠４は、一対の障子３，３の本体板部３１の板面に沿う移動方向２０に一対の障子３，３を移動可能に保持する。一方の障子３の保持框３２は、他方の障子３との召し合わせ部３７に、凸部３８を有する。凸部３８は、他方の障子３の召し合わせ部３７に向けて突出し、他方の障子３の保持框３２に接触するか又は保持框３２に近接する。
【００９０】
第２の態様によれば、一対の障子３，３が窓枠開口４０を閉塞する位置にあるときには、一対の障子３，３の縦框３５１，３５１が有する凸部３８，３８が互いに接触するか又は近接する。この結果、一対の障子３，３のそれぞれの縦框３５１，３５１間に隙間が形成されにくくなり、建物における気密性の確保がしやすくなる。
【００９１】
第３の態様の引き違い窓２は、一対の障子３，３及び窓枠４を備える。障子３は、本体板部３１及び本体板部３１の周縁部を保持する保持框３２を有する。窓枠４は、一対の障子３，３の本体板部３１の板面に沿う移動方向２０に一対の障子３，３をそれぞれ移動可能にガイドする一対のガイドレール４７を有する。一対のガイドレール４７は、一対の障子３，３の召し合わせ部３７に対応する位置における間隔が、召し合わせ部３７に対応しない位置における間隔よりも短くなるように設けられる。
【００９２】
第３の態様によれば、一対の障子３，３が窓枠開口４０を閉塞する位置にあるときには、一対の障子３，３の縦框３５１，３５１が互いに接触するか又は近接する。この結果、一対の障子３，３のそれぞれの縦框３５１，３５１間に隙間が形成されにくくなり、建物における気密性の確保がしやすくなる。
【００９３】
第４の態様の引き違い窓２は、一対の障子３，３及び窓枠４を備える。障子３は、本体板部３１及び本体板部３１の周縁部を保持する保持框３２を有する。窓枠４は、一対の障子３，３の本体板部３１の板面に沿う移動方向２０に一対の障子３，３を移動可能に保持する。両方の障子３，３の保持框３２のうち、召し合わせ部３７に位置するそれぞれの縦框３５１が、磁性を有する部材により構成される。
【００９４】
第４の態様によれば、一対の障子３，３が窓枠開口４０を閉塞する位置にあるときには、一対の障子３，３の縦框３５１，３５１が互いに接触するか又は近接する。この結果、一対の障子３，３のそれぞれの縦框３５１，３５１間に隙間が形成されにくくなり、建物における気密性の確保がしやすくなる。
【００９５】
第５の態様では、第１〜４のいずれかの態様との組み合わせにより実現される。第５の態様では、障子３と窓枠４の少なくとも一方に、障子３が窓枠４に対して移動方向２０に沿って移動するのを規制する移動規制構造２１を有する。
【００９６】
第５の態様によれば、障子３の窓枠４に対する移動を規制することができる。
【００９７】
第６の態様では、第１〜５のいずれかの態様との組み合わせにより実現される。第６の態様では、障子３の保持框３２のうち、召し合わせ部３７に位置する縦框３５１が透光性を有する部材により構成されている。
【００９８】
第６の態様によれば、窓枠開口４０を通した見通しが向上し、見栄えがよい。
【符号の説明】
【００９９】
２    引き違い窓
２０  移動方向
２１  移動規制構造
３    障子
３１  本体板部
３２  保持框
３５１  縦框
３７  召し合わせ部
３８  凸部
３９  透光性及び磁性を有する部材
４    窓枠
４７  ガイドレール
４８  凸部
４０  窓枠開口
【図１】
2019131983.tif 000003
【図２】
2019131983.tif 000004
【図３】
2019131983.tif 000005
【図４】
2019131983.tif 000006
【図５】
2019131983.tif 000007
【図６】
2019131983.tif 000008
【図７】
2019131983.tif 000009
【図８】
2019131983.tif 000010